(57)【要約】      （修正有）【課題】ポケットに挟み入れた書類等の抜け出しを防止する掛止片付のクリアファイルを提供する。【解決手段】表面シート１と背面シート２は基側の下角３を挟んで垂直縁４の折りと下縁５の接着シールにてつながって、対角の上角６を挟んで上縁７と外側の垂直縁８をポケットＡ内に書類等Ｓを出し入れすることができるように接面開閉するようにする。表面シート１の外側の垂直縁８に縦長の凹部９を設け、背面シート２の外側の垂直縁８の同位置に掛止片１０を切込み形成する。クリアファイル１１はポケットＡ内に書類等Ｓを挟み入れたあと、背面シート２の掛止片１０を切込みから持ち出して表面シート１の凹部９に嵌合し掛止して、表背シート１，２の外側の垂直縁８，８を閉じ状態にロックして挟み入れた書類等Ｓが抜け出さないようにする。【選択図】図２
0003176943.tif 000002
【実用新案登録請求の範囲】
【請求項１】
表面シートと背面シート間のポケットに書類等を取り出し自在に挟み入れるようにしたクリアファイルにおいて、表面シートの開閉端縁に掛止用の凹部を設け、背面シートの開閉端縁の同位置に該凹部に嵌入して掛止する掛止片を切込み形成して、該掛止片を該凹部に嵌入し掛止することにより、クリアファイルのポケット内に挟み入れした書類等の抜け出しを防止するようにしたことを特徴とする書類等の抜け出し防止機能付きのクリアファイル。
【請求項２】
掛止片に広告等の背面印刷面を形成して、掛止時に表面シート上に表出させる請求項１記載のクリアファイル。
【考案の詳細な説明】
【技術分野】
【０００１】
この考案は書類等の抜け出し防止機能付きのクリアファイルに関するものある。
【背景技術】
【０００２】
この種のクリアファイルとしては実用新案登録第３１６３９７３号公報がある。該公報は表面に切込みに囲まれた押し部、この押し部を裏面の切り取り部に押し嵌入してロックすることを記載している。
【特許文献１】実用新案登録第３１６３９７３号公報
【考案の開示】
【考案が解決しようとする課題】
【０００３】
しかしながら、該公報はクリアファイルの表面に押し部を設けているので、挟み入れた書類等が押し部を内側から塞いでしまうことがあって裏面の切り取り部に嵌入し掛止することができないという課題がある。特に挟み入れする書類等が大きいときにかかる課題が生ずる。
また、押し部は表から押して裏の切り取り部に掛止するので、掛止とその解除に困難するという課題がある。
【課題を解決するための手段】
【０００４】
本考案は、表面シートの開閉端縁に掛止用の凹部を設け、背面シートの開閉端縁の同位置に該凹部に嵌入して掛止する掛止片を切込み形成して、掛止片を挟み入れ書類等に邪魔されることなしに容易に凹部に嵌入し掛止するようにして、かかる課題を解決するようにしたのである。
【考案の効果】
【０００５】
本考案は、クリアファイルの表面に凹部、背面に掛止片を設けたので、ポケット内に挟み入れする書類等の大小にかかわらず、全く邪魔されることなしに背面の掛止片を持って表面の凹部に嵌入し掛止して閉じロックすることができるという効果を生ずる。
【０００６】
掛止片を背面に設けたことで、背面印刷による広告等の印刷面を形成することができるという効果と、表面と背面の印刷面が複合した新しい印刷面を形成することができるという効果を生ずる。
【図面の簡単な説明】
【０００７】
【図１】第１実施例を示すもので、表面の凹部と背面の切込み形成した掛止片を示す各正面図
【図２】（ａ）は表面シートを開いて書類等をポケット内に挟み入れ、掛止片を表側に起こした状態を示す斜視図、（ｂ）は同、表面シートを接面閉じして凹部に掛止片を嵌入掛止したロック状態を示す斜視図
【図３】第２実施例で、（ａ）は表面印刷面と背面印刷面を見せる斜視図、（ｂ）は同、ロック状態にて複合印刷面を見せる斜視図
【図４】（ａ）は他の印刷例を示す斜視図、（ｂ）は同、複合印刷面を見せる斜視図
【考案を実施するための形態】
【０００８】
本考案は、硬直な薄いシート、例えばポリプロピレンを用いて下角を挟んで基側の垂直縁と下縁の表裏が折りつながり、上縁と外側の垂直縁が弾性を持って接面開閉するようにしたクリアファイルにおいて、表面シートの開閉する外側の垂直縁に掛止用の凹部を設け、背面シートの同位置に掛止片を切込み形成して、このクリアファイルのポケット内に書類等を挟み入れたあと背面の掛止片を持って凹部に嵌め掛止して、以って挟み入れた書類等の抜け出しを防止するようにする。
【実施例１】
【０００９】
図１乃至図２は本考案の第１実施例であって、表面シート１と背面シート２は基側の下角３を挟んで垂直縁４の折りと下縁５の接着シールにてつながって、対角の上角６を挟んで上縁７と外側の垂直縁８をポケットＡ内に書類等Ｓを出し入れすることができるように接面開閉するようにしている。
【００１０】
９は表面シート１の外側の垂直縁８に設けた縦長の凹部で、１０は背面シート２の外側の垂直縁８の同位置に切込み形成した掛止片である。このようにしてクリアファイル１１を形成する。
【００１１】
しかしてクリアファイル１１はポケットＡ内に書類等Ｓを挟み入れたあと、背面シート２の掛止片１０を切込みから持ち出して表面シート１の凹部９に嵌合し掛止して、表背シート１，２の外側の垂直縁８，８を閉じ状態にロックして挟み入れた書類等Ｓが抜け出さないようにする。
【００１２】
書類等Ｓを取り出すときは掛止片１０を持って凹部９から抜き外してロックを解くのである。表背シート１，２の外縁の垂直縁８，８は上縁７，７とともに開いて取り出すことが容易にできることとなる。
【実施例２】
【００１３】
図３乃至図４は本考案の第２実施例であって、背面の掛止片１０に、本考案の考案者が先に提案した背面印刷の技術、すなわち登録実用新案第３１４６２１８号、同第３１６４６１５号、同第３１６４６１６号、同第３１６５４３９号、同第３１７１０２７号、、同第３１７２０３１号、同第３１７３３０６号を用いて広告等の背面印刷面１２を形成して凹部９に掛止したときに表面に出してポイント広告が生ずるようにする。
【００１４】
この際表面シート１の凹部９の周辺に表面印刷面１３を形成するときは、表，背の印刷面１２，１３が複合した複合印刷面１４を形成することとなる。図４は同様にしてキャラクターの複合印刷面１４が表れる例を示している。
【産業上の利用可能性】
【００１５】
本考案は、挟み入れ書類等に邪魔されることなしに容易に掛止ロックとロックの解除ができ、また背面の掛止片が表に出て複合を含む印刷効果を奏すことで広く利用されるものである。
【符号の説明】
【００１６】
１は表面シート
２は背面シート
Ａはポケット
３は下角
４は垂直縁
５は下縁
６は上角
７は上縁
８は外側の垂直縁
９は凹部
１０は掛止片
１１はクリアファイル
１２は背面印刷面
１３は表面印刷面
１４は表面と背面の複合した印刷面
Ｓは書類等
【図１】
0003176943.tif 000003
【図２】
0003176943.tif 000004
【図３】
0003176943.tif 000005
【図４】
0003176943.tif 000006
【手続補正書】
【提出日】平成24年5月11日(2012.5.11)
【手続補正１】
【補正対象書類名】図面
【補正対象項目名】図３
【補正方法】変更
【補正の内容】
【図３】
0003176943.tif 000007
【手続補正２】
【補正対象書類名】図面
【補正対象項目名】図４
【補正方法】変更
【補正の内容】
【図４】
0003176943.tif 000008